(57)【要約】  ワイヤレス通信デバイスの熱管理のための方法、システム、およびデバイスが説明される。説明された技法は、例えば、デバイスの動作温度をモニタリングして動作温度が閾値を上回ったかどうかを決定するために使用されうる。他の態様は、ＰＡ温度、送信電力レベル、および／またはワイヤレス通信デバイスに関連付けられた１つ以上の追加のセンサからの入力をモニタリングすることを提供しうる。任意の上記入力単独にまたはそれらの組み合わせに基づいて、ワイヤレス通信デバイスの動作温度が決定されうる。温度が閾値を上回ったときに、送信アンテナは、第１のアンテナから第２のアンテナに切り替えられうる。追加の態様は、動作温度が所定の閾値を上回ったことに応答して送信電力レベルの低下を提供しうる。【選択図】  図２
2016509783.tif 000002
【特許請求の範囲】
【請求項１】
２つ以上のアンテナを有するワイヤレス通信デバイスの熱管理のための方法であって、
前記ワイヤレス通信デバイスに関連付けられた動作温度をモニタリングすることと、
前記動作温度が所定の閾値を上回ったときに、前記ワイヤレス通信デバイスの送信アンテナを第１のアンテナから第２のアンテナに切り替えることと
を備える方法。
【請求項２】
前記モニタリングすることは、
前記ワイヤレス通信デバイスの電力増幅器（ＰＡ）に関連付けられた温度をモニタリングすること
を備える、請求項１に記載の方法。
【請求項３】
前記モニタリングすることは、
前記ワイヤレス通信デバイスの電力増幅器（ＰＡ）に結合されたセンサによって特定される温度をモニタリングすること
を備える、請求項１に記載の方法。
【請求項４】
前記モニタリングすることは、
前記ワイヤレス通信デバイスの電力増幅器（ＰＡ）に、および前記ワイヤレス通信デバイスに関連付けられた１つ以上の追加のセンサのうちの少なくとも１つに関連付けられた温度をモニタリングすること
を備える、請求項１に記載の方法。
【請求項５】
前記ワイヤレス通信デバイスに関連付けられた送信電力レベルをモニタリングすること
をさらに備え、ここで、前記送信アンテナを前記切り替えることは、前記モニタリングされた送信電力レベルに少なくとも部分的に基づく、請求項１に記載の方法。
【請求項６】
前記ワイヤレス通信デバイスの前記動作温度が前記所定の閾値を上回ったときに、前記ワイヤレス通信デバイスの送信電力レベルを所定の送信電力レベルに低下させること
をさらに備える、請求項１に記載の方法。
【請求項７】
前記ワイヤレス通信デバイスの前記モニタリングされた動作温度が第２の所定の閾値を下回ったときに、前記送信アンテナを前記第２のアンテナから前記第１のアンテナに切り替えること
をさらに備える、請求項１に記載の方法。
【請求項８】
所定の時間期間が経過し、前記ワイヤレス通信デバイスの前記モニタリングされた動作温度が、前記所定の閾値から閾値量を超えて降下または上昇しないと、前記送信アンテナを前記第２のアンテナから前記第１のアンテナに切り替えること
をさらに備える、請求項１に記載の方法。
【請求項９】
前記送信アンテナを前記第１のアンテナから前記第２のアンテナに前記切り替えることは、所定の時間期間の間前記動作温度が前記所定の閾値を上回ったときに、開始される、請求項１に記載の方法。
【請求項１０】
前記ワイヤレス通信デバイスは、マルチキャリア通信システムに通信可能に結合され、かつ、それ上で動作するユーザ機器を備える、請求項１に記載の方法。
【請求項１１】
前記動作温度に少なくとも部分的に基づいて、前記ワイヤレス通信デバイスに関連付けられた複数のアンテナから、前記第２のアンテナを決定すること
をさらに備える、請求項１に記載の方法。
【請求項１２】
熱管理のために構成されたワイヤレス通信デバイスであって、
前記ワイヤレス通信デバイスに関連付けられた動作温度をモニタリングするための手段と、
前記動作温度が所定の閾値を上回ったときに、前記ワイヤレス通信デバイスの送信アンテナを第１のアンテナから第２のアンテナに切り替えるための手段と
を備えるワイヤレス通信デバイス。
【請求項１３】
前記モニタリングすることは、
前記ワイヤレス通信デバイスの電力増幅器（ＰＡ）に関連付けられた温度をモニタリングするための手段
をさらに備える、請求項１２に記載のワイヤレス通信デバイス。
【請求項１４】
前記モニタリングすることは、
前記ワイヤレス通信デバイスの電力増幅器（ＰＡ）に結合されたセンサよって特定される温度をモニタリングするための手段
をさらに備える、請求項１２に記載のワイヤレス通信デバイス。
【請求項１５】
前記モニタリングすることは、
前記ワイヤレス通信デバイスの電力増幅器（ＰＡ）におよび前記ワイヤレス通信デバイスに関連付けられた１つ以上の追加のセンサのうちの少なくとも１つに関連付けられた温度をモニタリングするための手段
をさらに備える、請求項１２に記載のワイヤレス通信デバイス。
【請求項１６】
前記ワイヤレス通信デバイスに関連付けられた送信電力レベルをモニタリングするための手段
をさらに備え、ここで、前記送信アンテナを前記切り替えることは、前記モニタリングされた送信電力レベルに少なくとも部分的に基づく、請求項１２に記載のワイヤレス通信デバイス。
【請求項１７】
前記ワイヤレス通信デバイスの前記動作温度が前記所定の閾値を上回ったときに、前記ワイヤレス通信デバイスの送信電力レベルを所定の送信電力レベルに低下させるための手段
をさらに備える、請求項１２に記載のワイヤレス通信デバイス。
【請求項１８】
前記ワイヤレス通信デバイスの前記モニタリングされた動作温度が第２の所定の閾値を下回ったときに、前記送信アンテナを前記第２のアンテナから前記第１のアンテナに切り替えるための手段
をさらに備える、請求項１２に記載のワイヤレス通信デバイス。
【請求項１９】
所定の時間期間が経過し、前記ワイヤレス通信デバイスの前記モニタリングされた動作温度が、前記所定の閾値から閾値量を超えて降下または上昇しないと、前記送信アンテナを前記第２のアンテナから前記第１のアンテナに切り替えるための手段
をさらに備える、請求項１２に記載のワイヤレス通信デバイス。
【請求項２０】
前記送信アンテナを前記第１のアンテナから前記第２のアンテナに切り替えるための前記手段は、前記動作温度が前記所定の時間期間の間前記所定の閾値を上回ったときに、開始されうる、請求項１２に記載のワイヤレス通信デバイス。
【請求項２１】
前記ワイヤレス通信デバイスは、マルチキャリア通信システムに通信可能に結合され、かつ、それ上で動作するユーザ機器を備える、請求項１２に記載のワイヤレス通信デバイス。
【請求項２２】
前記動作温度に少なくとも部分的に基づいて、前記ワイヤレス通信デバイスに関連付けられた複数のアンテナから、前記第２のアンテナを決定するための手段
をさらに備える、請求項１２に記載のワイヤレス通信デバイス。  
【請求項２３】
ワイヤレス通信デバイスの熱管理のためのコンピュータプログラム製品であって、
非一時的コンピュータ可読媒体を備え、前記非一時的コンピュータ可読媒体は、
前記ワイヤレス通信デバイスに関連付けられた動作温度をモニタリングするためのコードと、
前記動作温度が所定の閾値を上回ったときに、前記ワイヤレス通信デバイスの送信アンテナを第１のアンテナから第２のアンテナに切り替えるためのコードと
を備える、コンピュータプログラム製品。
【請求項２４】
モニタリングするための前記コードは、
前記ワイヤレス通信デバイスの電力増幅器（ＰＡ）に関連付けられた温度をモニタリングするためのコード
をさらに備える、請求項２３に記載のコンピュータプログラム製品。
【請求項２５】
モニタリングするための前記コードは、
前記ワイヤレス通信デバイスの電力増幅器（ＰＡ）に結合されたセンサよって特定される温度をモニタリングするためのコード
をさらに備える、請求項２３に記載のコンピュータプログラム製品。
【請求項２６】
モニタリングするための前記コードは、
前記ワイヤレス通信デバイスの電力増幅器（ＰＡ）におよび前記ワイヤレス通信デバイスに関連付けられた１つ以上の追加のセンサのうちの少なくとも１つに関連付けられた温度をモニタリングするためのコード
をさらに備える、請求項２３に記載のコンピュータプログラム製品。
【請求項２７】
前記ワイヤレス通信デバイスに関連付けられた送信電力レベルをモニタリングするためのコード
をさらに備え、ここで、前記送信アンテナを前記切り替えることは、前記モニタリングされた送信電力レベルに少なくとも部分的に基づく、請求項２３に記載のコンピュータプログラム製品。
【請求項２８】
前記ワイヤレス通信デバイスの前記動作温度が前記所定の閾値を上回ったときに、前記ワイヤレス通信デバイスの送信電力レベルを所定の送信電力レベルに低下させるためのコード
をさらに備える、請求項２３に記載のコンピュータプログラム製品。
【請求項２９】
前記ワイヤレス通信デバイスの前記モニタリングされた動作温度が第２の所定の閾値を下回ったときに、前記送信アンテナを前記第２のアンテナから前記第１のアンテナに切り替えるためのコード
をさらに備える、請求項２３に記載のコンピュータプログラム製品。
【請求項３０】
所定の時間期間が経過し、前記ワイヤレス通信デバイスの前記モニタリングされた動作温度が、前記所定の閾値から閾値量を超えて降下または上昇しないと、前記送信アンテナを前記第２のアンテナから前記第１のアンテナに切り替えるためのコード
をさらに備える、請求項２３に記載のコンピュータプログラム製品。
【請求項３１】
前記送信アンテナを前記第１のアンテナから前記第２のアンテナに前記切り替えることは、前記動作温度が所定の時間期間の間前記所定の閾値を上回ったときに、開始されうる、請求項２３に記載のコンピュータプログラム製品。
【請求項３２】
前記ワイヤレス通信デバイスは、マルチキャリア通信システムに通信可能に結合され、かつ、それ上で動作するユーザ機器を備える、請求項２３に記載のコンピュータプログラム製品。
【請求項３３】
前記動作温度に少なくとも部分的に基づいて、前記ワイヤレス通信デバイスに関連付けられた複数のアンテナから、前記第２のアンテナを決定するためのコード
をさらに備える、請求項２３に記載のコンピュータプログラム製品。
【請求項３４】
熱管理のために構成されたワイヤレス通信デバイスであって、前記ワイヤレス通信デバイスは、
前記ワイヤレス通信デバイスに関連付けられた動作温度をモニタリングすることと、
前記動作温度が所定の閾値を上回ったときに、前記ワイヤレス通信デバイスの送信アンテナを第１のアンテナから第２のアンテナに切り替えることと
を行うように構成された少なくとも１つのコントローラと、
前記少なくとも１つのコントローラに結合されたメモリと、
を備えるワイヤレス通信デバイス。
【請求項３５】
前記コントローラは、
前記ワイヤレス通信デバイスの電力増幅器（ＰＡ）に関連付けられた温度をモニタリングすること
を行うようにさらに構成される、請求項３４に記載のワイヤレス通信デバイス。
【請求項３６】
前記コントローラは、
前記ワイヤレス通信デバイスの電力増幅器（ＰＡ）に結合されたセンサよって特定される温度をモニタリングすること
を行うようにさらに構成される、請求項３４に記載のワイヤレス通信デバイス。
【請求項３７】
前記コントローラは、
前記ワイヤレス通信デバイスの電力増幅器（ＰＡ）におよび前記ワイヤレス通信デバイスに関連付けられた１つ以上の追加のセンサのうちの少なくとも１つに関連付けられた温度をモニタリングすること
を行うようにさらに構成される、請求項３４に記載のワイヤレス通信デバイス。
【請求項３８】
前記コントローラは、
前記ワイヤレス通信デバイスに関連付けられた送信電力レベルをモニタリングすること
を行うようにさらに構成される、ここで、前記送信アンテナを前記切り替えることは、前記モニタリングされた送信電力レベルに少なくとも部分的に基づく、請求項３４に記載のワイヤレス通信デバイス。
【請求項３９】
前記コントローラは、
前記ワイヤレス通信デバイスの前記動作温度が前記所定の閾値を上回ったときに、前記ワイヤレス通信デバイスの送信電力レベルを所定の送信電力レベルに低下させること
を行うようにさらに構成される、請求項３４に記載のワイヤレス通信デバイス。
【請求項４０】
前記コントローラは、
前記ワイヤレス通信デバイスの前記モニタリングされた動作温度が第２の所定の閾値を下回ったときに、前記送信アンテナを前記第２のアンテナから前記第１のアンテナに切り替えること
を行うようにさらに構成される、請求項３４に記載のワイヤレス通信デバイス。
【請求項４１】
前記コントローラは、
所定の時間期間が経過し、前記ワイヤレス通信デバイスの前記モニタリングされた動作温度が、所定の閾値から閾値量を超えて降下または上昇しないと、前記送信アンテナを前記第２のアンテナから前記第１のアンテナに切り替えること
を行うようにさらに構成される、請求項３４に記載のワイヤレス通信デバイス。
【請求項４２】
前記送信アンテナを前記第１のアンテナから前記第２のアンテナに前記切り替えることは、前記動作温度が所定の時間期間の間前記所定の閾値を上回ったときに、開始されうる、請求項３４に記載のワイヤレス通信デバイス。
【請求項４３】
前記ワイヤレス通信デバイスは、マルチキャリア通信システムに通信可能に結合され、かつ、それ上で動作するユーザ機器を備える、請求項３４に記載のワイヤレス通信デバイス。
【請求項４４】
前記コントローラは、
前記動作温度に少なくとも部分的に基づいて、前記ワイヤレス通信デバイスに関連付けられた複数のアンテナから、前記第２のアンテナを決定すること
を行うようにさらに構成される、請求項３４に記載のワイヤレス通信デバイス。
【発明の詳細な説明】
【相互参照】
【０００１】
[0001]  本特許出願は、２０１３年１月１５日に出願された、Ｓａｎｄｈｕらによる、「Method and Apparatus to Reduce PA/Device Temperature by Switching the Antennas on a Device」と題する米国特許仮出願第６１／７５２８７５号への優先権を主張する、２０１４年１月６日に出願された、Ｓａｎｄｈｕらによる、「Method and Apparatus to Reduce PA/Device Temperature by Switching the Antennas on a Device」と題する米国特許出願第１４１４８１７５に関し、それらは、譲受人に譲渡され、参照によって本明細書に明確に組み込まれる、
【技術分野】
【０００２】
[0002]  下記は一般にワイヤレス通信に関し、より具体的には、モバイルデバイス上のアンテナを切り替えることによってモバイルデバイスの電力増幅器（ＰＡ）および／またはデバイス温度を低下させることに関する。
【背景技術】
【０００３】
[0003]  下記は一般にワイヤレス通信に関し、より具体的には、デバイス上のアンテナを切り替えることによって電力増幅器（ＰＡ）および／またはデバイス温度を低下させることに関する。ワイヤレス通信システムは、音声、ビデオ、パケットデータ、メッセージング、ブロードキャスト、等の様々なタイプの通信コンテンツを提供するために広く展開される。これらシステムは、利用可能なシステムリソース（例えば、時間、周波数、および電力）を共有することによって多数のユーザとの通信をサポートすることができる多元接続システムでありうる。一般に、ワイヤレス多元接続通信システムは、各々が多数のモバイルデバイスのために通信を同時にサポートする多数の基地局を含みうる。基地局は、ダウンストリームおよびアップストリームリンク上でモバイルデバイスと通信しうる。
【０００４】
[0004]  一般に、モバイルデバイスは、通常動作中に熱（heat）を発生させる。いくつかの状況では、例えば、ハードウェア設計および／またはレイアウト、高い送信電力（これは、周囲の無線周波数（ＲＦ）条件に関しうる）、またはアンテナをブロックするユーザの手／身体の位置により、過度の熱が発生しうる。デバイスに関連付けられた過度の熱は、デバイス内の電子構成要素の動作的な機能の低下または早期劣化をもたらしうる。
【発明の概要】
【０００５】
[0005]  説明される特徴は一般に、ワイヤレス通信システムで動作するモバイルデバイスの温度管理のための１つ以上の改善されたシステム、方法、および／またはデバイスに関する。概して、モバイルデバイスは、１つよりも多くのアンテナを含み得、このデバイスに関連付けられた動作温度が、所定の閾値に達するかまたはそれを上回ったときに、送信アンテナは、第１のアンテナから第２のアンテナに切り替えられる。
【０００６】
[0006]  例示的な例の第１のセットでは、２つ以上のアンテナを有するワイヤレス通信デバイスの熱管理（thermal management）のための方法が提供される。ワイヤレス通信デバイスは、マルチキャリア通信システムと通信可能に結合され、かつ、それ上で動作するユーザ機器（ＵＥ）でありうる。方法は、ワイヤレス通信デバイスに関連付けられた動作温度をモニタリングすることを含みうる。方法はまた、動作温度が所定の閾値を上回ったときに、ワイヤレス通信デバイスの送信アンテナを第１のアンテナから第２のアンテナに切り替えることを含みうる。動作温度をモニタリングすることは、ワイヤレス通信デバイスの電力増幅器（ＰＡ）に関連付けられた温度をモニタリングすることを含みうる。動作温度をモニタリングすることはまた、ワイヤレス通信デバイスのＰＡに結合されたセンサによって特定される温度をモニタリングすることを含みうる。いくつかの例では、方法は、ワイヤレス通信デバイスのＰＡにおよびワイヤレス通信デバイスに関連付けられた１つ以上の追加のセンサのうちの少なくとも１つに関連付けられた温度をモニタリングすることを含みうる。方法は、例えば、ワイヤレス通信デバイスが２つよりも多くのアンテナを含むとき、動作温度に少なくとも部分的に基づいて、そのデバイスに関連付けられた複数のアンテナから、第２のアンテナを決定することを提供しうる。
【０００７】
[0007]  いくつかの態様では、方法は、ワイヤレス通信デバイスに関連付けられた送信電力レベルをモニタリングすることをさらに含みうる。切り替え決定は、モニタリングされた送信電力レベルに少なくとも部分的に基づきうる。ワイヤレス通信デバイスに関連付けられた送信電力レベルもまたモニタリングされ得、ここで、切り替え決定は、このモニタリングされた送信電力レベルに少なくとも部分的に基づく。
【０００８】
[0008]  いくつかの態様では、方法は、ワイヤレス通信デバイスのモニタリングされた動作温度が第２の所定の閾値を下回ったときに、送信アンテナを第２のアンテナから第１のアンテナに切り替えることを含みうる。方法はまた、所定の時間期間が経過し、ワイヤレス通信デバイスのモニタリングされた動作温度が、切り替え前の動作温度（pre-switching operating temperature）から、閾値量を超えて降下または上昇しないと、送信アンテナを第２のアンテナから第１のアンテナに切り替えることを含みうる。第１のアンテナから第２のアンテナへの送信アンテナの切り替えは、動作温度が所定の時間期間の間所定の閾値を上回ったときに、開始されうる。
【０００９】
[0009]  実例となる例の第２のセットによると、熱管理のために構成されたワイヤレス通信システムが提供される。システムは、ワイヤレス通信デバイスに関連付けられた動作温度をモニタリングするための手段を含みうる。システムはまた、動作温度が所定の閾値を上回ったときに、ワイヤレス通信デバイスの送信アンテナを第１のアンテナから第２のアンテナに切り替えるための手段を含みうる。ワイヤレス通信デバイスは、マルチキャリア通信システムと通信可能に結合され、かつ、それ上で動作するＵＥでありうる。動作温度をモニタリングすることは、ワイヤレス通信デバイスの電力増幅器（ＰＡ）に関連付けられた温度をモニタリングするための手段を含みうる。動作温度をモニタリングすることはまた、ワイヤレス通信デバイスの電力増幅器（ＰＡ）に結合されたセンサによって特定される温度をモニタリングするための手段を含みうる。いくつかの態様では、動作温度のモニタリングは、ワイヤレス通信デバイスの電力増幅器（ＰＡ）におよびワイヤレス通信デバイスに関連付けられた１つ以上の追加のセンサのうちの少なくとも１つに関連付けられた温度をモニタリングするための手段をさらに含みうる。システムは、例えば、ワイヤレス通信デバイスが少なくとも３つのアンテナを含むとき、動作温度に少なくとも部分的に基づいて、そのデバイスに関連付けられた複数のアンテナから、第２のアンテナを決定することを提供しうる。
【００１０】
[0010]  いくつかの態様では、システムは、ワイヤレス通信デバイスに関連付けられた送信電力レベルをモニタリングするための手段を含み得、切り替え決定は、モニタリングされた送信電力レベルに少なくとも部分的に基づく。ワイヤレス通信デバイスの動作温度が所定の閾値を上回ったときに、ワイヤレス通信デバイスの送信電力レベルを所定の送信電力レベルに低下させるための手段もまた提供されうる。
【００１１】
[0011]  いくつかの態様は、ワイヤレス通信デバイスのモニタリングされた動作温度が第２の所定の閾値を下回ったときに、送信アンテナを第２のアンテナから第１のアンテナに切り替えるための手段を提供しうる。送信アンテナを第１のアンテナから第２のアンテナに切り替えることは、動作温度が所定の時間期間の間所定の閾値を上回ったときに、開始されうる。さらに、システムは、所定の時間期間が経過し、ワイヤレス通信デバイスのモニタリングされた動作温度が、切り替え前の動作温度から閾値量を超えて降下または上昇しないと、送信アンテナを第２のアンテナから第１のアンテナに切り替えるための手段を含みうる。
【００１２】
[0012]  実例となる例の第３のセットによれば、コンピュータプログラム製品が提供される。コンピュータプログラム製品は、ワイヤレスデバイスの熱管理ためのものでありうる。コンピュータプログラム製品は、ワイヤレス通信デバイスに関連付けられた動作温度をモニタリングするためのコードを有する非一時的コンピュータ可読媒体を含みうる。非一時的コンピュータ可読媒体はまた、動作温度が所定の閾値を上回ったときに、ワイヤレス通信デバイスの送信アンテナを第１のアンテナから第２のアンテナに切り替えるためのコードを含みうる。ワイヤレス通信デバイスは、マルチキャリア通信システムと通信可能に結合され、かつ、それ上で動作するＵＥでありうる。動作温度をモニタリングするためのコードは、ワイヤレス通信デバイスのＰＡに関連付けられた温度をモニタリングするためのコードを含みうる。動作温度をモニタリングするためのコードはまた、ワイヤレス通信デバイスのＰＡに結合されたセンサによって特定される温度をモニタリングするためのコードを含みうる。いくつかの態様では、動作温度をモニタリングするためのコードは、ワイヤレス通信デバイスのＰＡにおよびワイヤレス通信デバイスに関連付けられた１つ以上の追加のセンサのうちの少なくとも１つに関連付けられた温度をモニタリングするためのコードをさらに含みうる。非一時的コンピュータ可読媒体はまた、動作温度に少なくとも部分的に基づいて、ワイヤレス通信デバイスに関連付けられた複数のアンテナから、第２のアンテナを決定するためのコードを含みうる。
【００１３】
[0013]  いくつかの態様では、非一時的コンピュータ可読媒体は、ワイヤレス通信デバイスに関連付けられた送信電力レベルをモニタリングするためのコードを含み得、ここで、切り替え決定は、モニタリングされた送信電力レベルに少なくとも部分的に基づく。ワイヤレス通信デバイスの動作温度が所定の閾値を上回ったときに、ワイヤレス通信デバイスの送信電力レベルを所定の送信電力レベルに低下させるためのコードもまた提供されうる。
【００１４】
[0014]  さらなる態様は、ワイヤレス通信デバイスのモニタリングされた動作温度が第２の所定の閾値を下回ったときに、送信アンテナを第２のアンテナから第１のアンテナに切り替えるためのコードを含みうる。送信アンテナを第１のアンテナから第２のアンテナに切り替えることは、動作温度が所定の時間期間の間所定の閾値を上回ったときに、開始されうる。さらに、いくつかの態様は、所定の時間期間が経過し、ワイヤレス通信デバイスのモニタリングされた動作温度が、切り替え前の動作温度から閾値量を超えて降下または上昇しないと、送信アンテナを第２のアンテナから第１のアンテナに切り替えるためのコードを含みうる。
【００１５】
[0015]  実例となる例の第４のセットによると、熱管理のために構成されたワイヤレス通信デバイスが提供される。デバイスは、少なくとも１つのコントローラを含みうる。コントローラは、ワイヤレス通信デバイスに関連付けられた動作温度をモニタリングするように構成されうる。コントローラはまた、動作温度が所定の閾値を上回ったときに、ワイヤレス通信デバイスの送信アンテナを第１のアンテナから第２のアンテナに切り替えるように構成されうる。ワイヤレス通信デバイスは、マルチキャリア通信システムと通信可能に結合され、かつ、それ上で動作するＵＥでありうる。コントローラはまた、ワイヤレス通信デバイスの電力増幅器（ＰＡ）に関連付けられた温度をモニタリングするように構成されうる。コントローラはまた、ワイヤレス通信デバイスのＰＡに結合されたセンサによって特定される温度をモニタリングするように構成されうる。いくつかの態様では、コントローラは、ワイヤレス通信デバイスのＰＡにおよびワイヤレス通信デバイスに関連付けられた１つ以上の追加のセンサのうちの少なくとも１つに関連付けられた温度をモニタリングするように構成されうる。コントローラは、動作温度に少なくとも部分的に基づいて、ワイヤレス通信デバイスに関連付けられた複数のアンテナから、第２のアンテナを決定することを提供するように構成されうる。
【００１６】
[0016]  いくつかの態様では、コントローラは、ワイヤレス通信デバイスに関連付けられた送信電力レベルをモニタリングするように構成され得、ここで、切り替え決定は、モニタリングされた送信電力レベルに少なくとも部分的に基づく。ワイヤレス通信デバイスの動作温度が所定の閾値を上回ったときに、ワイヤレス通信デバイスの送信電力レベルを所定の送信電力レベルに低下させるように構成されたコントローラもまた提供されうる。
【００１７】
[0017]  いくつかの態様は、ワイヤレス通信デバイスのモニタリングされた動作温度が第２の所定の閾値を下回ったときに、送信アンテナを第２のアンテナから第１のアンテナに切り替えるように構成されるべきコントローラを提供しうる。送信アンテナを第１のアンテナから第２のアンテナに切り替えることは、動作温度が所定の時間期間の間所定の閾値を上回ったときに、開始されうる。コントローラはまた、所定の時間期間が経過し、かつ、ワイヤレス通信デバイスのモニタリングされた動作温度が、切り替え前の動作温度から閾値量を超えて降下または上昇しないと、送信アンテナを第２のアンテナから第１のアンテナに切り替えるように構成されうる。
【００１８】
[0018]  説明されるシステム、方法、および／または装置の適用性のさらなる適用範囲は、以下の詳細な説明、特許請求の範囲、および図面から明らかになるであろう。この説明の精神および適用範囲の範囲内での様々な変更および修正が当業者に明らかになることから、詳細な説明および特定の例は例示だけの目的で与えられる。
【００１９】
[0019]  本発明の性質および利点のさらなる理解は、下記図面の参照によって実現されうる。添付の図面では、同様の構成要素または特徴は、同様の参照ラベルを有しうる。さらに、同じタイプの様々な構成要素は、同様の構成要素を区別する、参照ラベルに続くダッシュと第２のラベルとによって区別されうる。本明細書において第１の参照ラベルだけが使用されている場合、その説明は、第２の参照ラベルに関係なく、同じ第１の参照ラベルを有する同様の構成要素のどれにでも適用可能である。
【図面の簡単な説明】
【００２０】
【図１】図１は、例示的なワイヤレス通信システムを概念的に例示するブロック図を示す。
【図２】図２は、２つのアンテナを含む例示的なワイヤレス通信デバイスを概念的に例示するブロック図を示す。
【図３】図３は、代替的なアーキテクチャを含む例示的なワイヤレス通信デバイスを概念的に例示するブロック図を示す。
【図４】図４は、さらに別の代替的なアーキテクチャを含む例示的なワイヤレス通信デバイスを概念的に例示するブロック図を示す。
【図５Ａ】図５Ａは、例示的なワイヤレス通信デバイスの一部分の代替的なアーキテクチャを概念的に例示するブロック図を示す。
【図５Ｂ】図５Ｂは、例示的なワイヤレス通信デバイスの一部分の代替的なアーキテクチャを概念的に例示するブロック図を示す。
【図６】図６は、ワイヤレス通信デバイスの熱管理のための例示的な方法を概念的に例示するフローチャートである。
【図７】図７は、ワイヤレス通信デバイスの熱管理のための代替的な方法を概念的に例示するフローチャートである。
【図８】図８は、ワイヤレス通信デバイスの熱管理のための代替的な方法を概念的に例示するフローチャートである。
【図９】図９は、ワイヤレス通信デバイスの熱管理のための別の方法を概念的に例示するフローチャートである。
【発明を実施するための形態】
【００２１】
[0029]  ワイヤレス通信デバイスの熱管理が説明される。デバイスの動作温度（例えば、電力増幅器に関連付けられた動作温度）がモニタリングされうる。デバイスの動作温度が所定の閾値を上回ったときに、送信アンテナは、第１のアンテナから第２のアンテナに切り替えられうる。送信アンテナは、直ちに、または、所定の時間期間が温度が所定の閾値より上の状態で（with）経過した後に第２のアンテナに切り替えられうる。
【００２２】
[0030]  モニタリングすることは、デバイスの電力増幅器（ＰＡ）の温度をモニタリングすること、デバイスに関連付けられた１つ以上の追加のセンサからの情報をモニタリングすること、および／または、デバイスの送信電力レベルをモニタリングすることを含みうる。送信アンテナは、ＰＡ温度、ＰＡ温度と１つ以上の追加のセンサからの情報、ＰＡ温度とデバイスの送信電力、またはそれら組み合わせに基づいて第２のアンテナに切り替えられうる。他の態様は、デバイスの動作温度が所定の閾値を上回ったときに、送信電力を低下させることを提供しうる。
【００２３】
[0031]  本明細書で説明される技法が、セルラワイヤレスシステム、ピア・ツー・ピアワイヤレス通信、ワイヤレスローカルアクセスネットワーク（ＷＬＡＮ）、アドホックネットワーク、衛星通信システムのような様々なワイヤレス通信システム、および他のシステムに対して使用されうることは理解されるべきである。「システム」および「ネットワーク」という用語は交換して使用されることが多い。これらワイヤレス通信システムは、符号分割多元接続（ＣＤＭＡ）、時分割多元接続（ＴＤＭＡ）、周波数分割多元接続（ＦＤＭＡ）、直交ＦＤＭＡ（ＯＦＤＭＡ）、単一キャリアＦＤＭＡ（ＳＣ−ＦＤＭＡ）、および／または他の技術のようなワイヤレスシステムにおける多元接続に対して、様々な無線通信技術を採用しうる。一般に、ワイヤレス通信は、無線アクセス技術（ＲＡＴ）と呼ばれる１つ以上の無線通信技術の標準的な実現にしたがって行われる。無線アクセス技術を実現するワイヤレス通信システムまたはネットワークは無線アクセスネットワーク（ＲＡＮ）と呼ばれうる。
【００２４】
[0032]  ＣＤＭＡ技法を採用するＲＡＴの例には、ＣＤＭＡ２０００、ユニバーサル地上無線アクセス（ＵＴＲＡ）、等が含まれうる。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等と呼ばれる。ＩＳ−８５６（ＴＩＡ−８５６）は、通称、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ（登録商標））およびＣＤＭＡの他の変形を含む。ＴＤＭＡシステムは、モバイル通信のためのグローバルシステム（ＧＳＭ（登録商標））のような無線技術を実現しうる。ＦＤＭＡおよび／またはＯＦＤＭＡを採用するＲＡＴの例には、ウルトラモバイルブロードバンド（ＵＭＢ）、次世代型ＵＴＲＡ（Ｅ−ＵＴＲＡ）、ＩＥＥＥ ８０２.１１（Ｗｉ−Ｆｉ（登録商標））、ＩＥＥＥ ８０２.１６（ＷｉＭＡＸ（登録商標））、ＩＥＥＥ ８０２.２０、フラッシュＯＦＤＭ（登録商標）、等が含まれる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書で説明されている。ＣＤＭＡ２０００およびＵＭＢは、「第３世代パートナーシッププロジェクト２」（３ＧＰＰ２）と呼ばれる団体からの文書で説明されている。本明細書で説明される技法は、上述されたシステムおよび無線技術、ならびに別のシステムおよび無線技術に使用されうる。
【００２５】
[0033]  このように、以下の説明は例を提供するものであり、特許請求の範囲に示される適用範囲、適用性、または構成を限定するものではない。本開示の精神および適用範囲から逸脱することなく、説明される素の機能および配列に変更が行われる。様々な例では、様々なプロシージャまたは構成要素が適宜省略、置換、または追加されうる。例えば、説明される方法は、説明されるものとは異なる順序で行われ得、様々なステップが、追加、省略、または組み合わせられうる。また、特定の例に関して説明された特徴は、他の例では組み合わせられうる。
【００２６】
[0034]  最初に図１を参照すると、例示的なワイヤレス通信システム１００を概念的に例示するブロック図。ワイヤレス通信システム１００は、基地局（すなわち、セルまたはノード）１０５、モバイルデバイス１１５、およびコアネットワーク１３０を含む。基地局１０５は、基地局コントローラ（示されない）の制御下でモバイルデバイス１１５と通信し得、それは、様々な例では、コアネットワーク１３０または基地局１０５の一部でありうる。基地局１０５は、制御情報および／またはユーザデータを、バックホール（backhaul）１３２を通してコアネットワーク１３０と通信しうる。特定の例では、基地局１０５は、ワイヤードまたはワイヤレス通信リンクでありうるバックホールリンク１３４を介して直接的または間接的のいずれかで互いに通信しうる。コアネットワーク１３０は、サービングゲートウェイ、パケットデータサービングノード、パケットデータネットワークゲートウェイ、モビリティ管理エンティティ、等のようなネットワークエンティティを含みうる。
【００２７】
[0035]  ワイヤレス通信システム１００は、多数のキャリア（異なる周波数の波形信号）上での動作をサポートしうる。マルチキャリア送信機は、この多数のキャリア上で変調信号を同時に送信することができる。例えば、各変調信号は、上述された様々な無線技術にしたがって変調されたマルチキャリアチャネルでありうる。各変調信号は、異なるキャリア上で送られ得、制御情報（例えば、パイロット信号、制御チャネル、等）、オーバヘッド情報、データ、等を搬送しうる。ワイヤレス通信システム１００は、重複しているまたは重複していないカバレッジエリアを有する多数のＲＡＮを含みうる。
【００２８】
[0036]  モバイルデバイス１１５（例えば、ユーザ機器、等）は、スマートフォン、セルラ電話およびワイヤレス通信デバイス、携帯情報端末（ＰＤＡ）、タブレット、他のハンドヘルドデバイス、ネットブック、ウルトラブック、スマートブック、ノートブックコンピュータ、および他のタイプのワイヤレス通信デバイスを含みうる。次の説明では、マルチキャリア通信システム（例えば、ワイヤレス通信システム１００）上で動作するモバイルデバイス１１５に適用される様々な技法が説明されるが、これらの原理は、様々なデバイスおよび他のシステムに適用可能である。「モバイルデバイス」、「ユーザ機器」、および「ワイヤレス通信デバイス」という用語は交換して使用されうる。
【００２９】
[0037]  基地局１０５は、１つ以上の基地局アンテナを介してモバイルデバイス１１５とワイヤレスに通信しうる。基地局１０５は、多数のキャリアを介して基地局コントローラの制御下でモバイルデバイス１１５と通信しうる。基地局１０５サイトの各々は、それぞれの地理的エリアに通信カバレッジを提供する。いくつかの例では、基地局１０５は、トランシーバ基地局、無線基地局、アクセスポイント、無線トランシーバ、基本サービスセット（ＢＳＳ），拡張サービスセット（ＥＳＳ）、ノードＢ、ｅノードＢ（ｅＮＢ）、ホームノードＢ、ホームｅノードＢ，または何らかの他の適切な専門用語で呼ばれうる。各基地局１０５のカバレッジエリアは、本明細書では１１０と特定され、概して、破線の円で示される。基地局１０５のカバレッジエリアは、複数のセクタ（示されない）へと分割されうる。ワイヤレス通信システム１００は、異なるタイプの基地局１０５（例えば、マクロ、ピコ、および／またはフェムト基地局）を含みうる。マクロ基地局は、比較的大きな地理的リア（例えば、半径３５ｋｍ）に通信カバレッジを提供しうる。ピコ基地局は、比較的小さい地理的エリア（例えば、半径２ｋｍ）にカバレッジを提供し得、フェムト基地局は、比較的小さい地理的エリア（例えば、半径５０ｍ）に通信カバレッジを提供しうる。異なる技術では、重複したカバレッジエリアが存在しうる。
【００３０】
[0038]  モバイルデバイス１１５は、カバレッジエリア１１０全体に散在しうる。各モバイルデバイス１１５は、据置き型またはモバイルでありうる。一構成では、モバイルデバイス１１５は、マクロ基地局、ピコ基地局、およびフェムト基地局のようなものであるがそれには限定されない異なるタイプの基地局と、リンク１２５を介して通信することができる。
【００３１】
[0039]  モバイルデバイス１１５は、どのネットワークおよび/または基地局１０５が最良のダウンリンクおよび/またはアップリンクチャネル条件を提供しうるかを決定するために基地局１０５からのパイロット信号をモニタリングする。モバイルデバイス１１５は、次に、通信のためのＲＡＮおよび／または特定の基地局１０５を選択し、そのネットワークに登録または「キャンプオン」する。ネットワークへのモバイルデバイス１１５の登録は、ネットワークアタッチメント（network attachment）とも呼ばれうる。登録および／またはアタッチメントは、デバイスからＲＡＮにアタッチ要求を送ること、登録されたデバイスにデバイス識別子（例えば、一時的モバイル加入者識別子（ＴＭＳＩ）、等）を割り振ること、ネットワーク上のモバイルデバイス１１５の認証、モバイルデバイス１１５およびネットワークにおけるベアラコンテキストセットアップ、および／またはネットワークによるモビリティ管理を含みうる。
【００３２】
[0040]  一般に、モバイルデバイス１１５は、周期的に、および／または、ネットワークとのベアラコンテキストセットップに影響を及ぼしうるパラメータに対する変化をモバイルデバイス１１５が検出したときに、ネットワーク登録を更新する。例えば、既存のモバイルデバイス１１５は、それらがＯＮおよびＯＦＦにされたときに、周波数帯域またはクラスが変化した場合、特定の時間期間の後に周期的に、特定の距離を移動した後に周期的に、ネットワークの新しいゾーン（例えば、ネットワークロケーションエリア、等）への進入を受けて、および／または、様々なデバイスパラメータの変化に基づいて、明示的な登録を行いうる。
【００３３】
[0041]  特定の態様は、モニタリングされるべきモバイルデバイス１１５の動作温度を提供する。動作温度は、モバイルデバイス１１５に関連付けられた１つ以上のセンサから情報を受け取ることによってモニタリングされうる。モバイルデバイス１１５は電力増幅器（ＰＡ）を含み得、このＰＡの温度をモニタリングすることによって動作温度が決定されうる。センサは、モバイルデバイス１１５のＰＡに結合されるか、そうでなければそれと熱通信状態にありうる。モバイルデバイス１１５は、１つ以上の追加のセンサを含みうる。１つ以上の追加のセンサの例には、モバイルデバイス１１５内に配置された温度センサ、および／または、モバイルデバイス１１５の表面上にまたはその近くに配置された温度センサが含まれるがそれらに限定されるわけではない。１つ以上の追加のセンサからの情報は、モバイルデバイス１１５の動作温度を示す情報を含みうる。１つ以上の追加センサからの情報は、デバイスの動作状態（例えば、モバイルデバイス１１５が送信していること、モバイルデバイス１１５がアウェイク（awake）モードまたはスリープ（sleep）モードであること、等）を示す情報を含みうる。これらセンサからの情報に少なくとも部分的に基づいて、モバイルデバイス１１５の動作温度が決定されうる。追加の態様は、モニタリングされるべきモバイルデバイス１１５に関連付けられた送信電力レベルを提供しうる。送信電力レベルは、モバイルデバイス１１５の動作温度が所定の閾値に達するかまたはそれを上回ったときに、下げられうる。
【００３４】
[0042]  モバイルデバイス１１５に関連付けられた動作温度は、（１）モバイルデバイス１１５のＰＡ温度、（２）モバイルデバイス１１５に関連付けられた１つ以上の追加のセンサからの情報、（３）モバイルデバイス１１５の送信電力レベル、または（４）上記の任意の組み合わせ、に少なくとも部分的に基づいて決定されうる。一態様では、モバイルデバイス１１５の動作温度は、（１）モバイルデバイス１１５のＰＡ温度、（２）モバイルデバイス１１５のＰＡ温度に加え（in conjunction with）モバイルデバイス１１５に関連付けられた１つ以上の追加のセンサからの情報、（３）モバイルデバイス１１５のＰＡ温度に加えモバイルデバイス１１５の送信電力レベル、および／または、（４）モバイルデバイス１１５のＰＡ温度に加え１つ以上の追加のセンサからの情報およびモバイルデバイス１１５の送信電力レベルに基づいて決定されうる。
【００３５】
[0043]  モバイルデバイス１１５の動作温度が所定の閾値を上回ったときに、送信アンテナは、第１のアンテナから第２のアンテナに切り替えられうる。他の態様は、アンテナの利得、モバイルデバイス１１５上のまたはそれ内におけるアンテナの物理的なロケーション、モバイルデバイス１１５の他の動作状態、等に基づいて、２つ以上のアンテナを有するモバイルデバイス１１５において、第２のアンテナを決定することを提供しうる。送信アンテナは、動作温度が所定の閾値を上回ったときに、すなわち、直ちに、第１のアンテナから第２のアンテナに切り替えられうる。代替的に、送信アンテナは、動作温度が所定の閾値を上回る所定の時間期間が経過した後に、第１のアンテナから第２のアンテナに切り替えられうる。
【００３６】
[0044]  さらに、いくつかの態様では、送信アンテナは、所定の時間期間の後に、および／または、切り替える前の動作温度から第２の所定の閾値量を超えてデバイスの動作温度が降下または上昇しなかった場合に、第２のアンテナから第１のアンテナに切り替え戻されうるか、または、２つよりも多くのアンテナを有するモバイルデバイス１１５内の第３のアンテナに切り替えられうる。
【００３７】
[0045]  図２について、ブロック図は、本開示の態様を実現するシステム２００の例を例示する。システム２００は、熱管理のために構成されたモバイルデバイス１１５−ａを含む。モバイルデバイス１１５−ａは、図１に示されるようなモバイルデバイス１１５の１つ以上の態様の例でありうる。一例では、モバイルデバイス１１５−ａは、図１に関して上述されたモバイルデバイス１１５の態様を実現するように構成され得、このことは、簡潔さのために本明細書において繰り返し述べられない。モバイルデバイス１１５−ａは、センサ２０５、コントローラ２１０、スイッチ２１５、第１のアンテナ２２０−ａ、および第２のアンテナ２２０−ｂを含みうる。モバイルデバイス１１５−ａは、モバイル動作を容易にするための、小型バッテリのような内部電源（示されない）を有しうる。これら構成要素の各々は、直接的または間接的のいずれかで互いに通信状態にありうる。いくつかのケースでは、これらの構成要素は、互いに統合され得、例えば、センサ２０５、コントローラ２１０、および／またはスイッチ２１５が統合されうる。
【００３８】
[0046]  モバイルデバイス１１５−ａの構成要素は、個々にまたは集合的に、ハードウェアで適応可能な機能のいくつかまたはすべてを行うことに適応した１つ以上の特定用途向け集積回路（ＡＳＩＣ）で実現されうる。代替的に、これら機能は、１つ以上の集積回路上の１つ以上の他の処理ユニット（またはコア）によって行われうる。他の例では、他のタイプの集積回路（例えば、構造／プラットフォーム、ＡＳＩＣ、フィールドプログラマブルゲートアレイ（ＦＰＧＡ）、および他の半カスタムＩＣ）が使用され得、それらは、当技術分野で知られている任意の方法でプログラミングされうる。各ユニットの機能も、１つ以上の汎用プロセッサまたは専用プロセッサによって実行されるようにフォーマットされた、メモリで具現化される命令を用いて全体的にまたは部分的に実現されうる。例示される構成要素の各々は、モバイルデバイス１１５−ａの動作に関する１つ以上の機能を行うための手段でありうる。
【００３９】
[0047]  一態様では、センサ２０５は、モバイルデバイス１１５−ａの温度を示す情報をコントローラ２１０に提供するように構成される。センサ２０５は、モバイルデバイス１１５−ａ内に配置され得、１つ以上のＰＡ（１つ以上）、ワイヤレスモデム（１つ以上）、プロセッサ（１つ以上）または処理コア（１つ以上）、メモリ、あるいはアンテナ（１つ以上）のような、モバイルデバイス１１５−ａの１つ以上の構成要素と熱通信状態になるように構成される。このように、センサ２０５は、モバイルデバイス１１５−ａの温度を示す情報を提供しうる。特定の例では、センサ２０５は、サーミスタ、サーモカップル、抵抗温度検出器、赤外線センサ、あるいは、感知された温度に反映するアナログまたはデジタル出力を提供する他のセンサを含みうる。
【００４０】
[0048]  コントローラ２１０は、センサ２０５から情報を受け取り、受け取った情報に基づいてモバイルデバイス１１５−ａの動作温度を決定するように構成された論理、コード、等を含みうる。コントローラ２１０は、動作温度が所定の閾値を上回ったかどうかを決定するようにさらに構成されうる。所定の閾値を上回ることに応答して、コントローラ２１０は、送信アンテナを第１のアンテナ２２０−ａから第２のアンテナ２２０−ｂに切り替えうる。コントローラ２１０は、スイッチ２１５と動作的な通信状態にあり、第１のアンテナ２２０−ａから第２のアンテナ２２０−ｂに送信信号をリダイレクトすることをスイッチ２１５に行わせる命令を提供しうる。
【００４１】
[0049]  いくつかの態様では、所定の閾値は、モバイルデバイス１１５−ａに関連付けられた１つ以上のパラメータに基づいて決定されうる。例えば、モバイルデバイス１１５−ａの１つ以上の構成要素は、これらの構成要素が動作機能の許容不可能な低下または早期劣化に帰着しないであろう関連した安全動作温度範囲を有しうる。他の態様では、所定の閾値はまた、または代替的に、モバイルデバイス１１５−ａのユーザが暖かくなり過ぎであるとみなしうる温度に基づきうる。例えば、モバイルデバイス１１５−ａは、ユーザの接触に対して、モバイルデバイス１１５−ａが暖かくなり過ぎないようにする、開示された温度管理技法を実現するように構成されうる。
【００４２】
[0050]  次に図３について、ブロック図は、本開示の態様を実現するシステム３００を概念的に例示する。システム３００は、モバイルデバイス１１５−ｂを含みうる。モバイルデバイス１１５−ｂは、図１または２に示されたモバイルデバイス１１５のうちの一方の例でありうる。一例では、モバイルデバイス１１５−ｂは、図１および２に関して上述されたモバイルデバイス１１５の態様を実現するように構成され得、このことは、簡潔さのために本明細書において繰り返し述べられない。モバイルデバイス１１５−ｂは、センサ２０５−ａ、コントローラ２１０−ａ、スイッチ２１５−ａ、多数のアンテナ２２０（参照番号２２０−ｃ〜２２０−ｎによって特定される）、および電力増幅器３０５を含む。モバイルデバイス１１５−ｂは、モバイル動作を容易にするための、小型バッテリのような内部電源（示されない）を有しうる。図１に関して上述されたモバイルデバイス１１５−ａに類似して、これらの構成要素の各々は互いに通信状態にあり得、および／または、統合されうる。同様に、コントローラ２１０−ａはプロセッサでありうる。コントローラ２１０−ａがプロセッサであるとき、例えば、センサ２０５−ａおよび／またはスイッチ２１５−ａといった他の構成要素はこのプロセッサへと統合されうる。各構成要素は、モバイルデバイス１１５−ｂの動作に関する１つ以上の機能を行うための手段でありうる。
【００４３】
[0051]  一般に、図３に例示された例では、モバイルデバイス１１５−ｂの動作温度は、ＰＡ３０５のＰＡ温度に基づきうる。例えば、センサ２０５−ａは、ＰＡ３０５と熱通信状態にありうるか、ＰＡ３０５に直接接触しうる（例えば、アタッチされる、結合される、等）か、そうでなければ、ＰＡ３０５に関連付けられたＰＡ温度を示す情報を提供するためにＰＡ３０５に関連付けられうる。ＰＡ温度は、モバイルデバイス１１５−ｂの動作温度を決定するために使用されうるか、単に考慮されうる。
【００４４】
[0052]  コントローラ２１０−ａは、論理、コードを含みうるか、そうでなければ、センサ２０５−ａから情報を受け取り、その情報を使用して、ＰＡ３０５のＰＡ温度を決定するように構成されうる。コントローラ２１０−ａは、送信アンテナを第１のアンテナから第２のアンテナに切り替えるようにさらに構成されうる。図３で例示されるように、モバイルデバイス１１５−ｂは、２つ以上のアンテナを含み、これらのアンテナは、参照番号２２０−ｃ〜２２０−ｎによって特定され、ここで、ｎは、モバイルデバイス１１５−ｂのアンテナの数に基づいて決定されるだろう。スイッチ２１５−ａは、ハードウェア、論理を含みうるか、そうでなければ、ワイヤレス通信システム１００上で送信されるべきＰＡ３０５からの送信信号を、複数のアンテナ２２０のうちのいずれかにダイレクトするように構成されうる。
【００４５】
[0053]  コントローラ２１０−ａは、センサ２０５−ａから受け取った情報に基づいて、ＰＡ温度が所定の閾値を上回ったかどうかを決定するように構成され得、それに応じて、スイッチ２１５−ａと通信して、送信信号を送信アンテナ（例えば、第１のアンテナ２２０−ｃ）から第２のアンテナ（例えば、第２のアンテナ２２０−ｎ）に切り替えるようスイッチ２１５−ａに指図しうる。
【００４６】
[0054]  コントローラ２１０−ａは、複数のアンテナ２２０のうちのどれに送信アンテナを切り替えるかを決定するようにさらに構成されうる。例として、コントローラ２１０−ａは、アンテナ２２０の各々のロケーション、アンテナ２２０の各々の特定の仕様またはパラメータ（例えば、アンテナ利得、構成、等）、または他の要因に基づいて、送信アンテナをどのアンテナ２２０に切り替えるかを決定しうる。質の悪い伝送特性のため、例えば、送信アンテナがブロックされることで、ＰＡ温度が上昇した事例では、コントローラ２１０−ａは、第２のアンテナがモバイルデバイス１１５−ｂの異なる部分に位置していることに基づいて、送信信号を切り替える先にこの第２のアンテナを決定するように構成されうる。
【００４７】
[0055]  ここで図４を参照すると、本開示の態様を実現するように構成された例となるシステム４００を概念的に例示するブロック図。システム４００は、熱管理のために構成されたモバイルデバイス１１５−ｃを含みうる。モバイルデバイス１１５−ｃは、図１、２、または３のモバイルデバイス１１５のうちの１つ以上の例でありうる。すなわち、いくつかの態様では、モバイルデバイス１１５−ｃは、上述されたモバイルデバイス１１５の態様を実現するように構成され得、このことは、簡潔さのために本明細書において繰り返し述べられない。モバイルデバイス１１５−ｃは、プロセッサモジュール２１０−ｂ（これは、図２または３のコントローラ２１０の例でありうる）、スイッチ２１５−ｂ、複数のアンテナ２２０（アンテナ２２０−ｃ〜２２０−ｎとして例示されている）、および、ＰＡ３０５−ａに関連付けられたセンサ２０５−ｂを含む。プロセッサモジュール２１０−ｂは、ＰＡセンサモジュール４０５、一般のセンサモジュール４１０、および送信（ＴＸ）電力モジュール４１５を含む。モバイルデバイス１１５−ｃは、中央処理装置（ＣＰＵ）モジュール４２０、グラフィックスプロセッサ（ＧＰＵ）モジュール４２５、モバイル局モデム（ＭＳＭ）モジュール４３０、および、コンピュータ実行可能ソフトウェアコード４４５を含むメモリ４４０を追加的に含む。モバイルデバイス１１５−ｃはまた、モバイルデバイス１１５−ｃの１つ以上の構成要素に関連付けられた１つ以上、または複数の追加のセンサ４３５を含む。図４に例示される例では、ＣＰＵモジュール４２０は、関連したセンサ４３５−ａを有し、ＧＰＵモジュール４２５は、関連したセンサ４３５−ｂを有し、ＭＳＭモジュール４３０は、関連したセンサ４３５−ｃを有する。モバイルデバイス１１５−ｃは、モバイル動作を容易にするための、バッテリのような内部電源（示されない）を有しうる。
【００４８】
[0056]  モバイルデバイス１１５−ｃの構成要素の各々は、直接的または間接的に、互いに（例えば、バスを介して）通信状態にありうる。さらに、これらの構成要素は統合されうる。例として、プロセッサモジュール２１０−ｂ、ＣＰＵモジュール４２０、ＧＰＵモジュール４２５、メモリ４４０、および／またはスイッチ２１５−ｂは統合されうる。モバイルデバイス１１５−ｃは、様々な構成のいずれかを有し、例えば、無線アクセスネットワークおよび／または１つ以上の他のモバイルデバイス１１５、１１５−ａ、１１５−ｂに結合されうる。
【００４９】
[0057]  モバイルデバイス１１５−ｃの構成要素は、個々にまたは集合的に、ハードウェアで適応可能な機能のいくつかまたはすべてを行うことに適応した１つ以上の特定用途向け集積回路（ＡＳＩＣ）で実現されうる。代替的に、これら機能は、１つ以上の集積回路上の１つ以上の他の処理ユニット（またはコア）によって行われうる。他の例では、他のタイプの集積回路（例えば、構造／プラットフォーム、ＡＳＩＣ、フィールドプログラマブルゲートアレイ（ＦＰＧＡ）、および他の半カスタムＩＣ）が使用され得、それらは、当技術分野で知られている任意の方法でプログラミングされうる。各ユニットの機能も、１つ以上の汎用プロセッサまたは専用プロセッサによって実行されるようにフォーマットされた、メモリで具現化される命令を用いて全体的にまたは部分的に実現されうる。構成要素の各々は、モバイルデバイス１１５−ｃの動作に関する１つ以上の機能を行うための手段でありうる。
【００５０】
[0058]  メモリ４４０は、ランダムアクセスメモリ（ＲＡＭ）および読取専用メモリ（ＲＯＭ）を含みうる。メモリ４４０は、命令を含む、コンピュータ可読かつコンピュータ実行可能ソフトウェアコード４４５を記憶し得、この命令は、実行されると、本明細書で説明された様々な機能（例えば、モバイルデバイス１１５−ｃの熱管理）を行うことをプロセッサモジュール２１０−ｂに行わせるように構成される。代替的に、コンピュータ実行可能ソフトウェアコード４４５は、プロセッサモジュール２１０−ｂによって直接的には実行可能ではない可能性があるが、本明細書で説明された機能を行うことをＣＰＵモジュール４２０に行わせるように構成されうる（例えば、コンパイルおよび実行されたとき）。
【００５１】
[0059]  ＰＡセンサモジュール４０５、一般のセンサモジュール４１０、およびＴＸ電力モジュール４１５は、プロセッサモジュール２１０−ｂによって実行されると、本明細書で説明された機能の態様を実現するコンピュータ実行可能命令として実現されうる。一例では、モジュール４０５、４１０、４１５のうちの１つ以上は、プロセッサモジュール２１０−ｂ上で実行（run）し、かつ、それぞれのセンサ２０５−ｂ、４３５−ａ、４３５−ｂ、および４３５−ｃから情報を受け取るコードとして実現されうる。モジュール４０５、４１０、４１５は、情報の受領を受けて、例えば、モバイルデバイス１１５−ｃの動作温度を決定する命令を含みうる。
【００５２】
[0060]  １つ以上の追加のセンサ４３５は、それらの関連したモジュールに関連する情報、例えば、関連したモジュールの物理的な特性を示す情報、関連したモジュールのステータスまたは動作状態の情報、モジュールの電気特性を示す情報、等を提供するように構成されうる。センサ２０５−ｂ、４３５−ａ、４３５−ｂ、４３５−ｃは、情報をプロセッサモジュール２１０−ｂに提供しうる。プロセッサモジュール２１０−ｂは、センサのうちの１つ以上から受け取った情報に基づいてモバイルデバイス１１５−ｃの熱管理を行うための論理、コード、命令、等を含みうる。
【００５３】
[0061]  モバイルデバイス１１５−ｃは、モバイルデバイス１１５−ｃの熱管理を容易にするための、上述された態様を実現するように構成されうる。特定の態様は、モニタリングされるべきモバイルデバイス１１５−ｃのＰＡ温度を提供しうる。ＰＡ温度は、プロセッサモジュール２１０−ｂに、ＰＡ３０５−ａに関連付けられたセンサ２０５−ｂから情報を受け取らせることによってモニタリングされうる。ＰＡセンサモジュール４０５は、情報を処理し、ＰＡ温度と、関連した切り替えとに関する決定を行いうる。センサ２０５−ｂは、ＰＡ３０５−ａに結合されるか、そうでなければそれと熱通信状態にありうる。モバイルデバイス１１５−ｃは、１つ以上の追加のセンサ４３５を含み、送信アンテナが第１のアンテナから第２のアンテナに切り替えられる必要があるかどうかを決定するために、追加の情報が利用されることを許可する。すなわち、１つ以上の追加のセンサ４３５からの情報は、モバイルデバイス１１５−ｃの動作温度を示す情報を含みうる。これらの温度は、一般のセンサモジュール４１０に、様々な構成要素に関連付けられたセンサ４３５から情報を受け取らせることによってモニタリングされうる。
【００５４】
[0062]  一般のセンサモジュール４１０は、センサ（１つ以上）２０５−ｂおよび／または４３５からの情報を処理し、デバイス温度および関連した切り替えに関する決定を行いうる。１つ以上の追加センサ４３５からの情報は、モバイルデバイス１１５−ｃの動作状態（例えば、デバイスが送信していること、デバイスがアウェイクモードまたはスリープモードであること、等）を示す情報を含み得、ここで、この情報に少なくとも部分的に基づいて、モバイルデバイス１１５−ｃの動作温度が決定されうる。追加の態様は、モニタリングされるべきモバイルデバイス１１５−ｃに関連付けられた送信電力レベルを提供しうる。送信電力レベルは、例えば、ＣＰＵモジュール４２０および／またはＰＡ３０５−ａから、ＰＡ３０５−ａが送信している送信電力示す情報を受け取るプロセッサモジュール２１０−ｂを介してモニタリングされうる。送信電力は、Ｔｘ電力モジュール４１５に情報を受け取ることによってモニタリングされうる。ＴＸ電力ジュール４１５は、この情報を処理し、送信電力および関連した切り替えに関する決定を行いうる。送信電力レベルは、モバイルデバイス１１５−ｃの動作温度が所定の閾値を上回ったときに、下げられうる。
【００５５】
[0063]  図４のモバイルデバイス１１５−ｃのアーキテクチャに示されるように、モバイルデバイス１１５−ｃの所定の閾値温度は、データの範囲に基づいて決定されうる。例えば、温度は、（１）モバイルデバイス１１５−ｃのＰＡ温度、（２）１つ以上の追加のセンサ４３５からの情報、（３）モバイルデバイス１１５−ｃの送信電力レベル、または（４）上記の任意の組み合わせ、に少なくとも部分的に基づきうる。別の態様では、モバイルデバイス１１５−ｃの動作温度は、（１）モバイルデバイス１１５−ｃのＰＡ温度、（２）モバイルデバイス１１５−ｃのＰＡ温度に加え１つ以上の追加のセンサ４３５からの情報、（３）モバイルデバイス１１５−ｃのＰＡ温度に加えモバイルデバイス１１５−ｃの送信電力レベル、および／または、（４）モバイルデバイス１１５−ｃのＰＡ温度に加え１つ以上の追加のセンサ４３５からの情報およびモバイルデバイス１１５−ｃの送信電力レベルに基づいて決定されうる。
【００５６】
[0064]  モバイルデバイス１１５−ｃの動作温度が所定の閾値を上回ったときに、送信アンテナは、第１のアンテナ（例えば、アンテナ２２０−ｃ）から第２のアンテナ（例えば、アンテナ２２０−ｎ）に切り替えられうる。他の態様は、アンテナの利得、モバイルデバイス１１５−ｃ上のまたはそれ内におけるアンテナの物理的なロケーション、モバイルデバイス１１５−ｃの他の動作状態、等に基づいて、第２のアンテナを決定することを提供しうる。送信アンテナは、動作温度が所定の閾値を上回ったときに、すなわち、直ちに、第１のアンテナから第２のアンテナに切り替えられうる。代替的に、送信アンテナは、動作温度が所定の閾値を上回る所定の時間期間が経過した後に、第１のアンテナから第２のアンテナに切り替えられうる。送信アンテナは、所定の時間期間が経過し、モバイルデバイス１１５−ｃの動作温度が、切り替え前の動作温度から閾値量を超えて降下または上昇しないと、第１のアンテナから第２のアンテナに切り替えられうる。さらに、送信アンテナは、所定の時間期間の後、および／または、モバイルデバイス１１５−ｃの動作温度が、切り替え前の動作温度から閾値量を超えて降下または上昇しなかった場合に、第２のアンテナから第１のアンテナに切り替え戻されうるか、第３のアンテナに切り替えられうる。
【００５７】
[0065]  プロセッサモジュール２１０−ｂが、モバイルデバイス１１５−ｃの構成に基づいて（例えば、いくつのおよびどのタイプの追加のセンサ４３５がモバイルデバイス１１５−ｃに含まれているかに依存して）、モバイルデバイス１１５−ｃの動作温度を決定するために様々な論理アルゴリズムを含みうることは理解されるべきである。任意の数のアルゴリズム、コンピュータ実行可能命令、コード、等、スキームは、モバイルデバイス１１５−ｃの動作温度を決定するために、プロセッサモジュール２１０−ｂによって実現されうる。一例として、高いＰＡ温度は、モバイルデバイス１１５−ｃが、所定の閾値を上回ったこと、そして、送信アンテナが切り替えられるべきであることを示しうる。別の例では、低いＰＡ温度読取値に加え追加のセンサ４３５−ｂ（例えば、ＧＰＵモジュール４２５センサ）からの高い温度読取値は、モバイルデバイス１１５−ｃが熱くても、送信アンテナが切り替えられる必要がない可能性があること、すなわち、送信アンテナが高い動作温度の理由ではない可能性があること、を示しうる。さらに別の例では、高い送信電力レベルに結合された高いＰＡ温度読取値は、特定の送信アンテナというよりはむしろ送信電力レベルによって超過熱がもたらされうることをプロセッサモジュール２１０−ｂに示しうる。このように、プロセッサモジュール２１０−ｂは、超過熱を緩和するために送信電力レベルが低下させられるべきであることをＣＰＵモジュール４２０に通信しうる。
【００５８】
[0066]  図５Ａおよび５Ｂを参照すると、図１−４のモバイルデバイス１１５の一部分を例示する代替的なアーキテクチャ５００−ａおよび５００−ｂを概念的に例示するブロック図。図５Ａのアーキテクチャ５００−ａは、ＰＡ１ ３０５−ｃ、ＰＡ２ ３０５−ｄ、スイッチ２１５−ｃ、第１のアンテナ２２０−ｃ、および第２のアンテナ２２０−ｄを含む。同様に、図５Ｂのアーキテクチャ５００−ｂは、スイッチ２１５−ｄ、ＰＡ３０５−ｃおよびｄ、ならびに、第１および第２のアンテナ２２０ｃおよびｄをそれぞれ含む。前述されたように、これらの構成要素は、互いに通信状態にあり得、統合もされうる。
【００５９】
[0067]  温度ベースのアンテナ切り替えは、また、アンテナが、独立した電力制御型ＰＡ（例えば、ＰＡ１ ３０５−ｃおよびＰＡ２ ３０５−ｄ）によって供給されている送信機アーキテクチャ（例えば、それぞれ図５Ａおよび５Ｂのアーキテクチャ５００−ａおよび５００−ｂ）に採用されうる。アンテナ切り替えが、総デバイス送信電力が同一であるため、そのようなシステムにおいて電流消費利益を提供しない可能性があることは理解されうる。しかしながら、それは、モバイルデバイス１１５のエリアにわたって高い温度点（temperature point）を分散させるために使用されうる。すなわち、それは、ゾーンベースの熱緩和に使用されうる。
【００６０】
[0068]  例えば、２つのＰＡに対して独立電力制御を有するアップリンク多入力多出力（ＭＩＭＯ）システムの場合、個々のＰＡ温度は、送信機経路のためのアンテナを切り替えるために使用されうる。一方のＰＡの温度が閾値よりも高く、他方のＰＡがより低い電力で送信していることがわかると、他方のＰＡがより高い負荷を受け、熱源が空間に分散され得るようにまたは他のゾーンに移されうるようにアンテナを切り替えることができる。アンテナを切り替えるための温度ギャップ（temperature gap）は、周波数切替を防ぐように制御されうる。すなわち、温度ヒステリシス（temperature hysteresis）が使用されうる。
【００６１】
[0069]  多数のＰＡが同一の帯域に対して利用可能でありうる図５Ｂのアーキテクチャ５００−ｂへのより具体的な参照では、高熱源が再度位置付けされるように、電力増幅器の前にスイッチが使用されうるか、または、送信機経路自体が切り替えられうる。このケースでは、両方のＰＡが、単一のアンテナを共有しているか、異なるアンテナが使用されうる。
【００６２】
[0070]  図６は、ワイヤレス通信デバイスの熱管理を容易にするための方法６００の例を例示するフローチャートである。方法６００は、例えば、図１−５のモバイルデバイス１１５のようなデバイスによって行われうる。一実現では、プロセッサ（例えば、図２−４のコントローラ２１０）は、以下に説明される機能を行うためのワイヤレスデバイスの機能要素（functional element）を制御するために、コードの１つ以上のセットを実行しうる。
【００６３】
[0071]  ブロック６０５において、ワイヤレスデバイスに関連付けられた動作温度がモニタリングされる。例えば、動作温度は、過度の熱条件が生じたかどうかを決定するためにモニタリングされうる。動作温度のモニタリングは、図１−４のモバイルデバイス１１５に関連付けられた１つ以上のセンサによって提供されうる。
【００６４】
[0072]  ブロック６１０において、動作温度が所定の閾値を上回ったときに、送信アンテナが第１のアンテナから第２のアンテナに切り替えられる。モバイルデバイス１１５のコントローラ２１０は、閾値を上回った動作温度の発生に基づいて、モバイルデバイス１１５の動作温度を低下させるために第１のアンテナから第２のアンテナに送信信号を切り替えるようスイッチ２１５に指図するためにスイッチ２１５と通信しうる。
【００６５】
[0073]  図７は、ワイヤレス通信デバイスの熱管理を容易にするための方法７００の例を例示するフローチャートである。方法７００は、図１−４のモバイルデバイス１１５のようなデバイスによって行われうる。一実現では、プロセッサ（例えば、図２−４のコントローラ２１０）は、以下に説明される機能を行うためのワイヤレスデバイスの機能要素を制御するために、コードの１つ以上のセットを実行しうる。
【００６６】
[0074]  ブロック７０５において、ワイヤレスデバイスのＰＡに関連付けられた温度がモニタリングされる。例えば、モバイルデバイス１１５のＰＡ温度は、過度の熱条件が生じたかどうかを決定するために、センサ２０５によってモニタリングされうる。
【００６７】
[0075]  ブロック７１０において、ＰＡ温度が所定の閾値を上回ったときに、送信アンテナが第１のアンテナから第２のアンテナに切り替えられる。モバイルデバイス１１５のコントローラ２１０は、閾値を上回ったＰＡ温度の発生に基づいて、モバイルデバイス１１５の動作温度を低下させるために第１のアンテナから第２のアンテナに送信信号を切り替えるようスイッチ２１５に指図するためにスイッチ２１５と通信しうる。
【００６８】
[0076]  図８は、ワイヤレス通信デバイスの熱管理を容易にするための方法８００の例を例示するフローチャートである。方法８００は、例えば、図１−４のモバイルデバイス１１５のようなデバイスによって行われうる。一実現では、プロセッサ（例えば、図２−４のコントローラ２１０）は、以下に説明される機能を行うためのワイヤレスデバイスの機能要素を制御するために、コードの１つ以上のセットを実行しうる。
【００６９】
[0077]  ブロック８０５において、ワイヤレスデバイスのＰＡに関連付けられた温度がモニタリングされる。例えば、モバイルデバイス１１５のＰＡ温度は、過度の熱条件が生じたかどうかを決定するために、センサ２０５によってモニタリングされうる。
【００７０】
[0078]  ブロック８１０において、少なくとも１つ以上の追加のセンサがモニタリングされる。１つ以上の追加のセンサ（例えば、図４のセンサ４３５のいずれか）は、コントローラ２１０と通信状態にあり、それに情報を提供しうる。この情報は、温度、物理的な条件、または、モニタリングされているステータス／状態、等を少なくとも部分的に示す。
【００７１】
[0079]  ブロック８１５において、ＰＡ温度および１つ以上の追加のセンサに基づいて、送信アンテナが第１のアンテナから第２のアンテナに切り替えられる。モバイルデバイス１１５のコントローラ２１０は、ＰＡ温度および１つ以上の追加のセンサ４３５からの情報に少なくとも部分的に基づいて、モバイルデバイス１１５の動作温度を低下させるために第１のアンテナから第２のアンテナに送信信号を切り替えるようスイッチ２１５に指図するために、スイッチ２１５と通信しうる。上述されたように、コントローラ２１０は、送信アンテナが第２のアンテナに切り替えられるべきかどうかを決定するために様々なアルゴリズムを実現しうる。理解されるであろうように、実現される特定のアルゴリズムは、モバイルデバイス１１５に関連付けられたセンサの数および／または特定のタイプに依存しうる。
【００７２】
[0080]  図９は、ワイヤレス通信デバイスの熱管理を容易にするための例となる方法９００を例示するフローチャートである。方法９００は、例えば、図１−４のモバイルデバイス１１５のようなデバイスによって行われうる。一実現では、プロセッサ（例えば、図２−４のコントローラ２１０）は、以下に説明される機能を行うためのワイヤレスデバイスの機能要素を制御するために、コードの１つ以上のセットを実行しうる。
【００７３】
[0081]  ブロック９０５において、ワイヤレスデバイスに関連付けられたＰＡに関連付けられた温度がモニタリングされる。例えば、ＰＡ温度は、少なくとも部分的に、過度の熱条件が生じているかどうかを決定するために、センサによってモニタリングされうる。ＰＡ温度のモニタリングは、コントローラ２１０と動作的に通信状態にあるモバイルデバイス１１５〜１１５−ｄに関連付けられた１つ以上のセンサによって提供されうる。
【００７４】
[0082]  ブロック９１０において、ワイヤレスデバイスに関連付けられた送信電力レベルがモニタリングされる。コントローラ２１０は、ＰＡが送信している送信電力レベルを示す情報を転送するために、例えば、ＣＰＵモジュール４２０および／またはＰＡ３０５のいずれかと通信状態にありうる。図５Ａおよび５Ｂに関連して上述されたように、特定のモバイルデバイス１１５は、１つよりも多くのＰＡ３０５を含みうる。そのようなケースでは、コントローラは、各ＰＡに関連付けられた送信電力レベルをモニタリングしうる。
【００７５】
[0083]  ブロック９１５において、ＰＡ温度および送信電力レベルに基づいて、送信アンテナが第１のアンテナから第２のアンテナに切り替えられうる。モバイルデバイス１１５のコントローラ２１０は、ＰＡ温度および送信電力レベルに少なくとも部分的に基づいて、モバイルデバイス１１５の動作温度を低下させるために第１のアンテナから第２のアンテナに送信信号を切り替えるようスイッチ２１５に指図するためにスイッチ２１５と通信しうる。上述されたように、コントローラ２１０は、送信アンテナが第２のアンテナに切り替えられる必要があるかどうかを決定するために様々なアルゴリズムを実現しうる。理解されるであろうように、実現される特定のアルゴリズムは、デバイスに関連付けられたセンサの数および／または特定のタイプに依存しうる。さらなる態様は、過度の温度状況に応答して、モバイルデバイス１１５の送信電力レベルを低下させることを提供しうる。
【００７６】
[0084]  添付の図面に関連して上に示された詳細な説明は、様々な例を説明するものであり、実現されうるまたは特許請求の範囲の適用範囲内である唯一の例を表すわけではない。本明細書全体にわたって使用される「例示的な」という用語は、「例、実例、または例示を提供する」を意味し、必ずしも「好ましい」または「他の例よりも有利である」と解釈されるべきではない。この詳細な説明は、説明された技法の理解を与えることを目的とした特定の詳細を含む。しかしながら、これらの技法は、これらの特定の詳細なしに実施されうる。いくつかの事例では、周知の構造およびデバイスは、説明された例の概念を曖昧にしないためにブロック図の形式で示される。
【００７７】
[0085]  情報および信号は、あらゆる多種多様な技術および技法を使用して表せられうる。例えば、上記説明の全体を通して参照されうるデータ、命令、コマンド、情報、信号、ビット、シンボル、およびチップは、電圧、電流、電磁波、磁場または磁性粒子、光場または光粒子、あるいはこれらの任意の組み合わせによって表されうる。
【００７８】
[0086]  本明細書の開示に関連して説明された実例となる様々な論理ブロックおよびモジュールは、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは本明細書で説明された機能を行うよう設計されたそれらの任意の組み合わせで実現されるかまたは行われうる。汎用プロセッサはマイクロプロセッサでありうるが、代替的に、プロセッサは、任意の従来のプロセッサ、コントローラ、マイクロコントローラ、またはステートマシンでありうる。プロセッサは、例えば、ＤＳＰと、１つのマクロプロセッサ、複数のマイクロプロセッサ、ＤＳＰコアに結合した１つ以上のマイクロプロセッサ、またはその他の上記構成の組み合わせといったコンピューティングデバイスの組み合わせとしても実現されうる。
【００７９】
[0087]  本明細書で説明された機能は、ハードウェア、プロセッサによって実行されるソフトウェア、ファームウェア、またはそれらの任意の組み合わせにおいて実現されうる。プロセッサによって実行されるソフトウェアで実現される場合、これら機能はコンピュータ可読媒体上の１つ以上の命令またはコードとして格納または送信されうる。他の例および実現は、本開示および添付の特許請求の範囲の適用範囲および精神の範囲内である。例えば、ソフトウェアの性質上、上述された機能は、プロセッサ、ハードウェア、ファームウェア、ハードライティング、またはそれらの任意の組み合わせを使用して実行されるソフトウェアを使用して実現されうる。機能を実現する特徴はまた、様々な位置に物理的に位置付けられ得、これは、機能の複数の部分が異なる物理的なロケーションで実現されるように分散されることを含む。また、特許請求の範囲を含む、本明細書で使用される場合、「〜のうちの少なくとも１つ」で始まる複数の項目からなるリストで使用される「または」は、例えば「Ａ、Ｂ、またはＣのうちの少なくとも１つ」からなるリストが、Ａ、Ｂ、Ｃ、ＡとＢ、ＡとＣ、ＢとＣ、ＡとＢとＣ（すなわち、Ａ、Ｂ、およびＣ）を意味するような、離接的な（disjunctive）リストを示す。
【００８０】
[0088]  コンピュータ可読媒体は、ある場所から別の場所へのコンピュータプログラムの移送を容易にする任意の媒体を含む通信媒体およびコンピュータ記憶媒体の両方を含む。記憶媒体は、汎用コンピュータまたは専用コンピュータによってアクセスされることができるあらゆる入手可能な媒体でありうる。限定ではなく例として、コンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、命令またはデータ構造の形式で所望のプログラムコード手段を搬送または記憶するために使用されることができ、かつ、汎用コンピュータまたは専用コンピュータあるいは汎用プロセッサまたは専用プロセッサによってアクセスされることができるその他の媒体を備えうる。また、任意の接続は、コンピュータ可読媒体と厳密には称されうる。例えば、ソフトウェアが、同軸ケーブル、光ファイバーケーブル、ツイストペア、デジタル加入者回線（ＤＳＬ）、または赤外線、無線、およびマイクロ波のようなワイヤレス技術を使用して、ウェブサイト、サーバ、または他のリモートソースから送信される場合、この同軸ケーブル、光ファイバーケーブル、ツイストペア、ＤＳＬ、または赤外線、無線、およびマイクロ波のようなワイヤレス技術は媒体の定義に含まれる。ディスク（ｄｉｓｋ）およびディスク（ｄｉｓｃ）は、本明細書で使用される場合、コンパクトディスク（ＣＤ）、レーザーディスク（登録商標）、光ディスク、デジタル多用途ディスク（ＤＶＤ）、フロッピー（登録商標）ディスク、およびブルーレイ（登録商標）ディスクを含むが、ディスク（ｄｉｓｋ）は通常磁気的にデータを再生し、ディスク（ｄｉｓｃ）はレーザーを用いて光学的にデータを再生する。上記の組み合わせもコンピュータ可読媒体の適用範囲内に含まれるべきである。
【００８１】
[0089]  本開示の先の説明は、当業者が本開示を実行（make）または使用することを可能にするために提供される。本開示に対する様々な修正は、当業者には容易に明らかであり、本明細書において定義された包括的な原理は、本開示の精神または適用範囲から逸脱することなく、他の変形例に適用されうる。本開示全体にわたって、「例となる」または「例示的な」という用語は、例または実例を示し、述べられた例に対する任意の選好を意味または必要としない。このように、本開示は、本明細書で説明された例および設計に限定されるべきではなく、本明細書で開示された原理および新規な特徴と一致する最も広い適用範囲が与えられるべきである。
【００８２】
[0090]  本明細書で説明された技法は、ＣＤＭＡ、ＴＤＭＡ、ＦＤＭＡ、ＯＦＤＭＡ、ＳＣ−ＦＤＭＡのような様々なワイヤレス通信システムおよび他のシステムのために使用されうる。「システム」および「ネットワーク」という用語は交換して使用されることが多い。ＣＤＭＡシステムは、ＣＤＭＡ２０００、ユニバーサル地上無線アクセス（ＵＴＲＡ）、等の無線技術を実現しうる。ＣＤＭＡ２０００は、ＩＳ−２０００、ＩＳ−９５、およびＩＳ−８５６規格をカバーする。ＩＳ−２０００リリース０およびＡは、通称、ＣＤＭＡ２０００ １Ｘ、１Ｘ、等と呼ばれる。ＩＳ−８５６（ＴＩＡ−８５６）は、通称、ＣＤＭＡ２０００ １ｘＥＶ−ＤＯ、高速パケットデータ（ＨＲＰＤ）、等と呼ばれる。ＵＴＲＡは、広帯域ＣＤＭＡ（ＷＣＤＭＡ）およびＣＤＭＡの他の変形を含む。ＴＤＭＡシステムは、モバイル通信のためのグローバルシステム（ＧＳＭ）のような無線技術を実現しうる。ＯＦＤＭＡシステムは、ウルトラモバイルブロードバンド（ＵＭＢ）、次世代型ＵＴＲＡ（Ｅ−ＵＴＲＡ）、ＩＥＥＥ ８０２.１１（Ｗｉ−Ｆｉ）、ＩＥＥＥ ８０２．１６（ＷｉＭＡＸ）、ＩＥＥＥ ８０２.２０、フラッシュＯＦＤＭ（登録商標）、等の無線技術を実現しうる。ＵＴＲＡおよびＥ−ＵＴＲＡは、ＵＭＴＳ（Universal Mobile Telecommunication System）の一部である。３ＧＰＰロングタームエボリューション（ＬＴＥ）およびＬＴＥアドバンスド（ＬＴＥ−Ａ）は、Ｅ−ＵＴＲＡを使用するＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と呼ばれる団体からの文書で説明されている。ＣＤＭＡ２０００およびＵＭＢは、「第３世代パートナーシッププロジェクト２」（３ＧＰＰ２）と呼ばれる団体からの文書で説明されている。本明細書で説明される技法は、上述されたシステムおよび無線技術、ならびに別のシステムおよび無線技術に使用されうる。しかしながら、以下の説明は、例示を目的としてＬＴＥシステムについて説明するが、これらの技法がＬＴＥアプリケーションを超えて適用可能であるとはいえ、以下の説明の大半ではＬＴＥ専門用語が使用されうる。
【００８３】
[0091]  このように、以下の説明は例を提供するものであり、特許請求の範囲に示される適用範囲、適用性、または構成を限定するものではない。本開示の精神および適用範囲から逸脱することなく、説明された要素の機能および配列に変更が行われる。様々な例では、様々なプロシージャまたは構成要素が適宜省略、置換、または追加されうる。例えば、説明された方法は、説明されたものとは異なる順序で行われ得、様々なステップが、追加、省略、または組み合わせられうる。また、特定の例に関して説明された特徴は、他の例では組み合わせられうる。
【図１】
2016509783.tif 000003
【図２】
2016509783.tif 000004
【図３】
2016509783.tif 000005
【図４】
2016509783.tif 000006
【図５Ａ】
2016509783.tif 000007
【図５Ｂ】
2016509783.tif 000008
【図６】
2016509783.tif 000009
【図７】
2016509783.tif 000010
【図８】
2016509783.tif 000011
【図９】
2016509783.tif 000012
【国際調査報告】
2016509783.tif 000013
2016509783.tif 000014
2016509783.tif 000015
2016509783.tif 000016
2016509783.tif 000017
2016509783.tif 000018